(57)【要約】【課題】  体に圧迫感を与えずに、運動に伴うバスト（乳房）の揺れを、より効果的に抑え、かつバストの美しさを保持するブラジャーを提供する。【解決手段】  本開示によるブラジャー１０１は、左右一対のカップ１と、第1の弾性帯状体２１と、第２の弾性帯状体２３と、帯状芯材２５とを備えている。左右一対のカップ１は、乳房を包むように前方への膨らみを有する。第1の弾性帯状体２１は、各カップ１の表側に配置され、一対のカップ１の各々のカップ上端縁１６のうち、肩紐７に連結する肩紐連結部１１と中心側端部との間に掛け渡されている。第２の弾性帯状体２３は、各カップ１の表側に配置され、肩紐連結部１１と、各カップ１の脇側下部との間に掛け渡されている。帯状芯材２５は、肩紐連結部１１にある第１及び第２の弾性帯状体２１，２３の端部に、下端部が連結するように、肩紐７の前部に配置されている。【選択図】  図５
2020050990.tif 000002
【特許請求の範囲】
【請求項１】
乳房を包むように前方への膨らみを有する左右一対のカップと、
前記一対のカップの各々の表側に配置され、前記一対のカップの各々のカップ上端縁のうち、肩紐に連結する肩紐連結部と中心側端部との間に掛け渡された、第1の弾性帯状体と、
前記一対のカップの各々の表側に配置され、前記一対のカップの各々のカップ上端縁のうち、前記肩紐連結部と、その脇側斜め下方に位置する脇側端部との間に掛け渡された、第２の弾性帯状体と、を備えるブラジャー。
【請求項２】
前記肩紐連結部にある前記第１及び第２の弾性帯状体の端部に、下端部が連結するように、前記肩紐の前部に配置された帯状芯材を、さらに備える、請求項１に記載のブラジャー。
【請求項３】
前記一対のカップの各々の下端縁の下方に配置され、当該下端縁に沿って各カップに縫着されたカップ台布を、さらに備え、当該カップ台布は非伸縮性である、請求項１又は２に記載のブラジャー。
【請求項４】
前記一対のカップの各々は、カップの上端から下端に渡る接ぎ線に沿って互いに縫着された主要部と脇側とを有しており、前記主要部と前記脇側とは、互いに縫着される輪郭線が、縫着前において直線状であり、
前記第２の弾性帯状体は、各カップの前記脇側に重なるように配置されている、請求項１から３のいずれかに記載のブラジャー。
【請求項５】
前記一対のカップの各々は、互いに接ぎ線に沿って縫着された４片のカップ布により構成され、そのうちの１片は前記脇側を構成し、他の３片は前記主要部を構成し、当該主要部を構成する前記３片は、上部と左右に分割された下部とに配置され、前記脇側を構成する１片と縫着される輪郭線以外の輪郭線は、縫着前において外側に湾曲した形状である、請求項４に記載のブラジャー。
【発明の詳細な説明】
【技術分野】
【０００１】
本発明は、ブラジャーに関し、特に、体に圧迫感を与えずに、運動に伴うバスト（乳房）の揺れを抑える技術に関する。
【背景技術】
【０００２】
女性がランニングなど運動を行うときに、バストが揺れないようにするために着用されるブラジャーが、スポーツブラジャーの名称とともに知られている。例えばランニングをするときには、バストは大きく揺れ、痛みを生じたり、形が変わったりすることもある。これを防ぐために、従来のスポーツブラジャーは、バストを押し潰すようにして動かさない、バンドのような形態のものが一般的であった。このため、胸部が押さえられることにより美しさが犠牲にされるのに加え、体に圧迫感、窮屈感を与える、という問題点があった。
【０００３】
この問題を解消することを意図したものとして、特許文献１に記載の技術が知られている。しかし、出願人が実施商品を購入し、効果を試してみたところ、揺れ止めの効果は、一定程度認められるものの、十分なものではなかった。
【先行技術文献】
【特許文献】
【０００４】
【特許文献１】特許第2930932号
【発明の概要】
【発明が解決しようとする課題】
【０００５】
本発明は上記の問題点に鑑みてなされたもので、体に圧迫感を与えずに、運動に伴うバスト（乳房）の揺れを、より効果的に抑え、かつバストの美しさを保持するブラジャーを提供することを目的とする。
【課題を解決するための手段】
【０００６】
上記課題を解決し上記目的を達成するために、本発明のうち第１の態様によるものは、ブラジャーであって、左右一対のカップと、第1の弾性帯状体と、第２の弾性帯状体と、を備えている。左右一対のカップは、乳房を包むように前方への膨らみを有する。第1の弾性帯状体は、前記一対のカップの各々の表側に配置され、前記一対のカップの各々のカップ上端縁のうち、肩紐に連結する肩紐連結部と中心側端部との間に掛け渡されている。第２の弾性帯状体は、前記一対のカップの各々の表側に配置され、前記一対のカップの各々のカップ上端縁のうち、前記肩紐連結部と、その脇側斜め下方に位置する脇側端部との間に掛け渡されている。
【０００７】
この構成によれば、乳房を包むように前方への膨らみを有する左右一対のカップが備わるので、バストの圧迫感が解消されるとともに、美しさが保持される。また、第1の弾性帯状体は、各カップの肩紐連結部と中心側端部との間の上端縁を、表側から弾力により抑えるので、運動に伴うバストの跳ね上がりを効果的に抑える。さらに、第２の弾性帯状体は、各カップの肩紐連結部と、その脇側斜め下方に位置する脇側端部との間の上端縁を、表側から弾力により抑えることにより、運動に伴うバストの横の動きを抑えるとともに、バストを中心に寄せる働きをなす。このことは、バストの美しさを保つことにも寄与する。このように、体に圧迫感を与えずに、運動に伴うバストの揺れを、より効果的に抑えるとともに、バストの美しさを保持するブラジャーが実現する。
【０００８】
本発明のうち第２の態様によるものは、第１の態様によるブラジャーであって、前記肩紐連結部にある前記第１及び第２の弾性帯状体の端部に、下端部が連結するように、前記肩紐の前部に配置された帯状芯材を、さらに備えている。
【０００９】
この構成によれば、帯状芯材が、肩紐連結部にある第１及び第２の弾性帯状体の端部を、より堅固に支える働きをする。このため、バストの動きを抑える第１及び第２の弾性帯状体の機能が、一層高められる。
【００１０】
本発明のうち第３の態様によるものは、第１又は第２の態様によるブラジャーであって、前記一対のカップの各々の下端縁の下方に配置され、当該下端縁に沿って各カップに縫着されたカップ台布を、さらに備え、当該カップ台布は非伸縮性である。
【００１１】
この構成によれば、非伸縮性であるカップ台布により、各カップの横方向の延びが抑えられる。それにより、運動に伴うバストの横の動きがさらに抑えられるとともに、バストを中心に寄せる働きが、さらに高められる。
【００１２】
本発明のうち第４の態様によるものは、第１から第３のいずれかの態様によるブラジャーであって、前記一対のカップの各々は、カップの上端から下端に渡る接ぎ線に沿って互いに縫着された主要部と脇側とを有しており、前記主要部と前記脇側とは、互いに縫着される輪郭線が、縫着前において直線状である。
【００１３】
この構成によれば、各カップの脇側が、主要部と平面接ぎにより縫着されていることから、主要部とは異なり各カップの膨らみに大きくは貢献しない。このため、運動に伴うバストの横の動きがさらに抑えられるとともに、バストを中心に寄せる働きが、さらに高められる。
【００１４】
本発明のうち第５の態様によるものは、第４の態様によるブラジャーであって、前記一対のカップの各々は、互いに接ぎ線に沿って縫着された４片のカップ布により構成され、そのうちの１片は前記脇側を構成し、他の３片は前記主要部を構成している。そして、当該主要部を構成する前記３片は、上部と左右に分割された下部とに配置されており、前記脇側を構成する１片と縫着される輪郭線以外の輪郭線は、縫着前において外側に湾曲した形状である。
【００１５】
この構成によれば、各カップの主要部がドーム状に前方へ膨らみ出る形状が、３片のカップ布により実現する。
【発明の効果】
【００１６】
以上のように本発明によれば、体に圧迫感を与えずに、運動に伴うバスト（乳房）の揺れを、より効果的に抑え、かつバストの美しさを保持するブラジャーが実現する。
【図面の簡単な説明】
【００１７】
【図１】本発明の一実施の形態によるブラジャーの前半分について、表（肌側の反対側）から見た構成を例示する図である。
【図２】図１のブラジャーの前半分について、裏（肌側）から見た構成を例示する図である。
【図３】図１のブラジャーの後半分について、表から見た構成を例示する図である。
【図４】図１のブラジャーの後半分について、裏から見た構成を例示する図である。
【図５】図１のブラジャーの前半分の一部について、表布を除去して表から見た構成を例示する図である。
【図６】図１のブラジャーのカップを構成する４片の布について、縫着前の輪郭形状を例示する平面図である。
【図７】図１のブラジャーの試作品について、前方斜めから見た構成を例示する写真である。
【図８】図１のブラジャーの試作品について、後方から見た構成を例示する写真である。
【発明を実施するための形態】
【００１８】
図１は、本発明の一実施の形態によるブラジャーの前半分について、表（肌側の反対側）から見た構成を例示する図である。また、図２は、同ブラジャーの前半分について、裏（肌側）から見た構成を例示する図である。図３は、同ブラジャーの後半分について、表から見た構成を例示する図である。さらに、図４は、同ブラジャーの後半分について、裏から見た構成を例示する図である。これらの図を参照しつつ、まず、図示のブラジャー１０１の全体構成について説明する。このブラジャー１０１は、左右一対のカップ１、カップ台布３、サイドベルト５、左右一対の肩紐７、及びアンダーベルト９を有している。
【００１９】
図２に示すように、カップ１は、４領域に分割して配置され、互いに縫着された、保形性のカップ布４１，４２，４３，４４を有している。保形性とは、ドーム状の立体形状を構成したときに、その形状を保持する性質である。カップ布４１，４２，４３，４４は、厚手であり、非伸縮性である。カップ布４１，４２，４３，４４には、例えば、厚手の不織布、厚手の綿シートなどが用いられ、それにより保形性とともに、優しい肌触り、及び吸湿性が得られる。カップ１は、バスト（乳房）を包むように前方への膨らみを有している。このため、着用者のバストの圧迫感が解消されるとともに、美しさが保持される。
【００２０】
カップ台布３は、一対のカップ１の周囲に配置され、これらのカップ１と縫着されている。カップ台布３は、一対のカップ１の位置を保持する役割を果たすものである。カップ台布３は、互いに分割された内カップ台布３５、下カップ台布３７、及び脇カップ台布３９を含んでいる。内カップ台布３５は、一対のカップ１の内側端縁１７に挟まれ、それらを連結している。下カップ台布３７は、内カップ台布３５の下部の脇側に隣接し、カップ１の下端縁１８に沿うように配置される。脇カップ台布３９は、下カップ台布３７の脇側に隣接し、カップ１の脇側の下端縁１９に沿うように配置される。隣接するカップ台布３５，３７，３９同士も、互いに縫着されている。
【００２１】
カップ台布３５，３７，３９は、カップ布４１，４２，４３，４４と同じく、厚手でありかつ非伸縮性であり、例えばカップ布４１，４２，４３，４４と同一の材料が用いられる。内カップ台布３５が非伸縮性であるために、一対のカップ１が互いに離れるように脇方向へずれることが抑えられる。また、下カップ台布３７と脇カップ台布３９、特に下カップ台布３７が非伸縮性であるために、一対のカップ１の各々の横方向の延びが抑えられる。
【００２２】
図１及び図２から分かるように、カップ１及びカップ台布３の表側には、表地としての表布７１，７２が縫着されている。表布７１，７２は、一例として、薄手であり伸縮性である。表布７１は、カップ１の上端縁１６の上側領域７３をも覆うように配置される。一例として、表布７１には、通気性を高めるために多数の小孔が形成されている。図１において、表布７１に付された丸印は、小孔を模式的に表している。表布７１の上側領域７３には、裏地としての裏布７４が縫着されている。裏布７４は、薄手であり、一例として非伸縮性である。望ましくは、裏布７４にも、通気性の高い布が用いられる。例えば、表布７１は２ＷＡＹメッシュであり、表布７２は２ＷＡＹトリコットであり、裏布７４はマーキゼットである。なお、裏布７４は、一対のカップ１の位置を保持するカップ台布３の一部にも相当する。
【００２３】
図３及び図４に示すように、サイドベルト５は、左右両端部が、左右一対の脇カップ台布３９の後方両端部に連結しており、それにより、一対のカップ１、カップ台布３及びサイドベルト５が、全体として着用者の胸回りを囲むように筒状を成している。図示の例では、サイドベルト５は、左右一対に分かれておらず、背面において連続している。サイドベルト５は、カップ１を胸に固定する役割を果たす。サイドベルト５は、薄手であり、一例として、表布７５と裏布７６とが、互いに縫い合わされている。表布７５には、例えば表布７１と同様に、非伸縮性であり、かつ通気性の高い布が用いられる。裏布７６には、例えば伸縮性であり、かつ通気性の高い布が用いられる。例えば、表布７５は２ＷＡＹメッシュであり、裏布７６はパワーネットである。
【００２４】
図１〜図４に示すように、一対の肩紐７は、前端部が一対のカップ１の最上端部の肩紐連結部１１に縫着され、同時に表布７１及び裏布７４にも縫着されている。一対の肩紐７の後端部は、サイドベルト５の上端縁の背面中央付近に縫着されている。肩紐７は、ブラジャー１０１のうち、胸周りに着用する部分である本体部が下がらないように、本体部を着用者の肩から吊って支えるためのものである。図示のように、肩紐７は、長さ調節のためのアジャスタ１３を有するのが望ましい。
【００２５】
肩紐７も、一例として、表布７７と裏布７８とが、互いに縫い合わされている。表布７７には、例えば表布７１と同様に、非伸縮性であり、かつ通気性の高い布が用いられる。図示の例では、表布７７は表布７１と連続している。裏布７８には、裏布７４と同様に、例えば、薄手であり、非伸縮性であり、かつ通気性の高い布が用いられる。例えば、表布７７は２ＷＡＹメッシュであり、裏布７８はマーキゼットである。肩紐７の後端部付近では、表布７７及び裏布７８と、サイドベルト５の上端縁との間に介在するように、弾性を有するストラップテープ７９が設けられている。アジャスタ１３は、ストラップテープ７９に設けられている。
【００２６】
アンダーベルト９は、カップ台布３及びサイドベルト５の下端縁に沿って、当該下端縁に縫着されている。アンダーベルト９は、やや厚手であり、着用者の肌に密着するように弾性を有している。図示の例では、アンダーベルト９は、背面において左右に分かれており、留め具１５により切離し可能に連結される。アンダーベルト９は、例えばゴムが縫い込まれた帯状の布である。
【００２７】
図５は、ブラジャー１０１の前半分の一部（左半分）について、表布７１，７２を除去して表から見た構成を例示する図である。図示のように、カップ１の表側には、カップ上端縁１６のうち、肩紐連結部１１と内側端部（すなわち中心側端部）との間に、弾性帯状体２１が掛け渡されている。弾性帯状体２１は、カップ上端縁１６を覆うように掛け渡され、両端部がカップ１に縫い合わされている。カップ１の表側には、さらに、カップ上端縁１６のうち、カップ１の肩紐連結部１１と、その脇側斜め下方に位置する脇側端部との間に、弾性帯状体２３が掛け渡されている。弾性帯状体２３も、両端部がカップ１に縫い合わされている。弾性帯状体２１、２３は、弾性を有し、幾分厚手である。弾性帯状体２１、２３は、その弾性により、引張に対して復元力を発揮する。例えば、弾性帯状体２１、２３は、平織ゴムである。
【００２８】
弾性帯状体２１は、カップ１の肩紐連結部１１と内側端部との間の上端縁１６を、表側から弾力により抑えるので、運動に伴うバストの跳ね上がりを効果的に抑える機能を果たす。弾性帯状体２３は、カップ１の肩紐連結部１１と脇側端部との間の上端縁１６を、表側から弾力により抑えることにより、運動に伴うバストの横の動きを抑えるとともに、バストを中心に寄せる働きをなす。このことも、バストの美しさを保つことに寄与する。このように、ブラジャー１０１は、着用者の体に圧迫感を与えずに、運動に伴うバストの揺れを、より効果的に抑えるとともに、バストの美しさを保持する。
【００２９】
肩紐７の前部には、肩紐７に沿うように、帯状芯材２５が縫着されている。帯状芯材２５は、肩紐７の表布７７及び裏布７８の間に縫い込まれている。帯状芯材２５の下端部は、カップ１の肩紐連結部１１に連結されている。肩紐連結部１１には、弾性帯状体２１，２３及び帯状芯材２５の端部同士が、互いに重なり合って縫着されている。帯状芯材２５は、一例として、カップ布４１，４２，４３，４４と同素材であり、例えば厚手の不織布、厚手の綿シートなどである。帯状芯材２５は、肩紐連結部１１にある弾性帯状体２１，２３の端部を、しっかりと支える働きをする。このため、バストの動きを抑える弾性帯状体２１，２３の機能が、一層高められる。
【００３０】
図２に戻って、カップ１は、肩紐連結部１１の近傍と、カップ１の下端縁１８と下端縁１９の交点とを結び、垂直からやや傾斜し、かつ略直線状の接ぎ線（はぎせん）４５によって、内側領域５１と脇側領域５３とに分けられる。内側領域５１は、カップ１の内側を広く占める主要部をなし、略矩形である。脇側領域５３は、内側領域５１の脇側にあって、略帯状である。内側領域５１は、さらに３領域に分けられ、それぞれに上カップ布４１、内側下カップ布４２、脇側下カップ布４３が配置されている。上カップ布４１は、内側に向かって下方に傾斜するカップ１の上端縁１６に沿った略帯状の部分を占める。内側下カップ布４２及び脇側下カップ布４３は、内側領域５１のうち、上カップ布４１の下側の略三角形部分を、内側と脇側とに略二分するように並んでいる。内側下カップ布４２は、略三角形状であり、脇側下カップ布４３は、略矩形である。脇側領域５３には、カップサイド布４４が配置される。
【００３１】
４片のカップ布４１，４２，４３，４４は、接ぎ線４５のほか、接ぎ線４６、４７に沿って、互いに縫い合わされている。４片の布４１，４２，４３，４４は、既に述べたように、いずれも好ましくは厚手であり、互いに重ね合わせたり、折り返したりすることなく、互いに突き合わせた状態で、縫い合される。カップ台布３５，３７，３９も、好ましくは厚手であるので、４片のカップ布４１，４２，４３，４４とカップ台布３５，３７，３９との間、及びカップ台布３５，３７，３９同士も、互いに重ね合わせたり、折り返したりすることなく、互いに突き合わせた状態で、縫い合される。また、互いに隣接する裏布７４及び肩紐７の裏布７８同士、裏布７４とカップ布４１，４４同士、裏布７４とカップ台布３５，３９同士は、互いに重ねて縫い合わせられる。これらの接ぎ線を隠すために、裏側（肌側）に配置されたテープ状の布６１，６２，６３，６４，６５，６６，６７，６８，６９が、接ぎ線に沿って、同時に縫い合わされる。
【００３２】
図６は、４片のカップ布４１，４２，４３，４４について、縫着前の輪郭形状を例示する平面図である。接ぎ線４６に沿う上カップ布４１の輪郭線は、上カップ布４１の外方に湾曲している。同様に、接ぎ線４６に沿う内側下カップ布４２及び脇側下カップ布４３の輪郭線は、いずれも外方に湾曲している。また、接ぎ線４７に沿う内側下カップ布４２及び脇側下カップ布４３の輪郭線も、外方に湾曲している。このため、３片の上カップ布４１、内側下カップ布４２及び脇側下カップ布４３は、互いに縫着されることにより、ドーム状の立体形状を形成する。カップ１の主要部が、ドーム状に前方へ膨らみ出るので、バストの圧迫感を解消し、美しさを保持する機能が、より効果的に高められる。
【００３３】
３片のカップ布４１，４２，４３が形成するドーム状の膨らみの頂部は、接ぎ線４５と接ぎ線４６との交点に位置する。この膨らみの頂部に、着用者のバスト頂部（乳頭）が位置することが予定されている。弾性帯状体２１は、膨らみの頂部の上方にある上カップ布４１の上端縁１６を覆うように配置されるので、既に述べたように、運動に伴うバストの跳ね上がりを効果的に抑える機能を果たす。
【００３４】
これに対して、接ぎ線４５に沿うカップサイド布４４の輪郭線は、外方に湾曲せず、直線状である。また、接ぎ線４５に沿う上カップ布４１及び脇側下カップ布４３の輪郭線も、同じく直線状である。すなわち、カップサイド布４４は、ドーム状の立体形状の形成に主要には寄与しない。このため、カップサイド布４４は、バストを脇から内側へ押して寄せる働きをなす。同時に、運動に伴うバストの横の動きがさらに抑えられる。弾性帯状体２３は、カップサイド布４４の脇側に斜めに延びる上端縁１６を、表側から抑えるように配置されている。このため、カップサイド布４４と弾性帯状体２３とが、互いに共同して、運動に伴うバストの横の動きを効果的に抑制する。また、カップ布４１，４２，４３，４４は、保形性を有するので、バストの形に順応して自在に形が変わることなく、バストの形を整える効果が高い。
【００３５】
図７は、ブラジャー１０１の試作品について、前方斜めから見た構成を例示する写真である。着用者から見た左半分は、表布７１，７２の一部が除去されている。図８は、同試作品について、後方から見た構成を例示する写真である。当該試作品を着用して運動する試験を行ったところ、体に圧迫感を与えることなく、バストの美しさを保持しつつ、しかも運動に伴うバストの縦及び横の揺れを、より効果的に抑えるという、既に述べた優れた効果を確認することができた。
【符号の説明】
【００３６】
１  カップ、  ３  カップ台布、  ５  サイドベルト、  ７  肩紐、  ９  アンダーベルト、  １１  肩紐連結部、  １３  アジャスタ、  １６  上端縁、  １７  内側端縁、  １８  下端縁、  １９  下端縁、  ２１  弾性帯状体、  ２３  弾性帯状体、  ２５  帯状芯材、  ３５  内カップ台布、  ３７  下カップ台布、  ３９  脇カップ台布、  ４１  上カップ布、  ４２  内側下カップ布、  ４３  脇側下カップ布、  ４４  カップサイド布、  ４５  接ぎ線、  ４６，４７  接ぎ線、  ５１  内側領域（主要部）、  ５３  脇側領域（脇側）、  ６１，６２，６３，６４，６５，６６，６７，６８，６９  テープ状の布、  ７１，７２  表布、  ７３  上側領域、  ７４  裏布、  ７５  表布、  ７６  裏布、  ７７  表布、  ７８  裏布、  １０１  ブラジャー。
【図１】
2020050990.tif 000003
【図２】
2020050990.tif 000004
【図３】
2020050990.tif 000005
【図４】
2020050990.tif 000006
【図５】
2020050990.tif 000007
【図６】
2020050990.tif 000008
【図７】
2020050990.tif 000009
【図８】
2020050990.tif 000010